(57)【特許請求の範囲】
【請求項１】
カチオン染料を溶解するにあたり、エチレングリコールモノフェニルエーテルおよびエチレングリコールを主成分とし、鉱酸および有機酸を含有しない、染料溶解能力の高い染料溶解剤を使用することを特徴とする、低温時に結晶を析出せず、長期安定性に優れた液状カチオン染料であるアストラフロキシン。
【請求項２】
カチオン染料を溶解するにあたり、エチレングリコールモノフェニルエーテルおよびエチレングリコールを主成分とし、鉱酸および有機酸を含有しない、染料溶解能力の高い染料溶解剤を使用することを特徴とする、低温時に結晶を析出せず、長期安定性に優れた液状カチオン染料であるアイゼンカチロンオレンジＲＨ（Ｃ．Ｉ．ベーシックオレンジ２２）。
【発明の詳細な説明】
【０００１】
【産業上の利用分野】
本発明はアクリル繊維、カチオン染料可染型ポリエステル繊維およびこれらの混紡交織繊維を浸染法または捺染法で染色する際に用いられる液状カチオン染料に関するものである。
【０００２】
【従来の技術】
液状カチオン染料は、カチオン染料を水、鉱酸、有機酸有機溶剤等で溶解し作られる。しかし染料の構造によっては、これらの溶媒のみでは溶解性が不足し、低温保管中に染料結晶が析出し、沈降を起すといったトラブルがあり、この様な場合はより溶解性を増す染料溶解剤を添加するのが一般的製法である。
従来、染料溶解剤として一般的に用いられている物としてチオジグリコールおよびこの誘導体があり、染料溶解剤として市販されている薬剤の中には、チオジグリコールおよびこの誘導体を主成分とする物もある。
【０００３】
【発明が解決しようとする課題】
染料溶解能力が高く、染料溶解剤の主成分として使用されているチオジグリコールは、塩酸および塩酸を発生する薬剤と同時に使用すると毒ガス（マスタードガス）が発生するとの事で、化学兵器禁止条約の毒性化学物質の前駆物質としてリスト・アップされており、一般的な使用が著しく規制される事になり、これに代る染料溶解剤が強く要望されることとなった。
【０００４】
【課題を解決するための手段】
染料溶解剤のチオジグリコールの代替品に求められる性能は、▲１▼染料溶解能力が高く、これを用いた液状カチオン染料組成物を低温で保管しても結晶を析出させず、沈降現象が起きない事、▲２▼カチオン染料に悪影響がなく、これを用いた液状カチオン染料組成物を長期に保管しても染料が分解しない事、▲３▼他の薬剤と同時使用しても毒性物質を発生しない事、等である。
本発明者らは、これらの条件を満たす薬剤を鋭意探索した結果、エチレングリコールモノフェニルエーテル等がこれらの条件を満たし、チオジグリコール代替品として最適である事を見い出し本発明を完成した。
【０００５】
即ち本発明は、カチオン染料を溶解するにあたり、エチレングリコールモノフェニルエーテルおよびエチレングリコールを主成分とし、鉱酸および有機酸を含有しない、染料溶解能力の高い染料溶解剤を使用することを特徴とする、低温時に結晶を析出せず、長期安定性に優れた液状カチオン染料のアストラフロキシンである。また本発明はカチオン染料を溶解するにあたり、エチレングリコールモノフェニルエーテルおよびエチレングリコールを主成分とし、鉱酸および有機酸を含有しない、染料溶解能力の高い染料溶解剤を使用することを特徴とする、低温時に結晶を析出せず、長期安定性に優れた液状カチオン染料のアイゼンカチロンオレンジＲＨ（Ｃ．Ｉ．ベーシックオレンジ２２）である。
【０００６】
【実施例】
以下、実施例をあげて本発明をさらに詳細に説明するが、部とは重量部を意味する。
参考例１
以下の処方で液状カチオン染料を作製した。
アストラフロキシン  コンクウエット        ２８  部
エチレングリコール                        ４０  部
エチレングリコールモノフェニルエーテル    ２０  部
酢酸                                        ２．５部
水                                          ９．５部
１００．０部
この液状カチオン染料は、−１０℃×４週間保管で結晶析出が認められず、長期保管での安定性を調べる為促進テストとして行なった５０℃×８週間経時でも、染料の分解が認められなかった。
【０００７】
比較例１として下記処方での液状カチオン染料も作製した。
アストラフロキシン  コンクウェット          ２８    部
エチレングリコール                          ６０    部
酢酸                                          ２．５部
水                                            ９．５部    
１００．０部
染料溶解剤としてエチレングリコールモノフェニルエーテルを含まないこの液状カチオン染料は、−１０℃×４週間保管で染料結晶が析出し、溶液の濃度低下が認められた。
【０００８】
実施例１
以下の処方で液状カチオン染料を作製した。
アイゼン  カチロン  オレンジＲＨ  コンク品    １７．０部
（保土谷化学工業（株）製品）
エチレングリコール                            ５６．０部
エチレングリコールモノフェニルエーテル        １４．０部
水                                            １３．０部
１００．０部
この液状カチオン染料組成物は、−１０℃×４週間保管での結晶析出が認められず、長期保管での安定性を調べる為、促進テストとして行なった５０℃×４週間経時でも染料の分解が認められなかった。
【０００９】
比較例２として下記処方での液状カチオン染料も作製した。
アイゼン  カチロン  オレンジＲＨ  コンク品    １７．０部
エチレングリコール                            ７０．０部
水                                            １３．０部    
１００．０部
染料溶解剤としてエチレングリコールモノフェニルエーテルを含まないこの液状カチオン染料は、−１０℃×４週間保管で染料結晶が析出し、溶液の濃度低下が認められた。
【００１０】
参考例２  以下の処方で液状カチオン染料を作製した。
アイゼン  カチロン  ピュアーブルー５ＧＨ
コンク品（保土谷化学工業（株）製品）    １６．０部
エチレングリコール                                          ５．９部
ジエチレングリコールモノベンジルエーテル                  １０．０部
水                                                        ６８．１部  
１００．０部
この液状カチオン染料は、−１０℃×４週間保管での結晶析出が認められず、長期保管での安定性を調べる為、促進テストとして行った、５０℃×４週間経時でも染料の分解が認められなかった。
【００１１】
【発明の効果】
カチオン染料を溶解して液状カチオン染料を得るにあたり、染料溶解剤としてエチレングリコールモノフェニルエーテル等を用いる事により、低温で保管しても染料結晶が析出せず、長期保管しても染料の分解が少なく、他の薬剤と同時使用しても毒性物質を発生しない製品を作る事ができた。